(57)【要約】  本発明はアクアエクササイズのための浮遊ステーションに関し、水領域に対する安定化手段及び固定手段に固着された少なくとも１つの浮遊フレーム（１）を備え、前記フレーム（１）は、少なくとも１つのポケット（２）を一体的に有して成り、よって少なくとも一人の運動を可能にする水中構造を構成し、前記ポケット（２）は濾過システムに固着されている。
2008546934.tif 000002
【特許請求の範囲】
【請求項１】
所定の水の領域に対して安定化させ、且つ固定させる手段の作用を受ける少なくとも１つの浮遊フレーム（１）を備え、
前記フレーム（１）は、少なくとも１つのライナー（２）に取り付けられて、少なくとも一人が動くことを可能する水中構造を構成し、
前記ライナー（２）は、濾過システムの作用を受けていることを特徴とするアクアエクササイズのための浮遊ステーション。
【請求項２】
前記ライナー（２）は、前記浮遊ステーションの底部及び／又は壁に剛性を有する補強材（３）を有していることを特徴とする請求項１に記載の浮遊ステーション。
【請求項３】
前記ライナー（２）は、高さの調整を可能にするように適合された底部として作用するプラットフォーム（８）を有し、よって前記ライナーの深さを変化させていることを特徴とする請求項１に記載の浮遊ステーション。
【請求項４】
前記ライナー（２）は２重壁を有し、伝熱流体の循環を可能にしていることを特徴とする請求項１に記載の浮遊ステーション。
【請求項５】
前記ライナー（２）の前記底部は、水面において前記ライナー内に含有される水を吸い上げ可能な浮遊手段（１２）に可撓性のパイプを介して接続された排水システムの作用を受けていることを特徴とする請求項１〜４のいずれか一項に記載の浮遊ステーション。
【請求項６】
前記ライナーの前記底部は、前記ライナーに対するオーバーフローとして作用し、且つ前記ライナーに張力をかけることを避けることができる、レベル制御アセンブリ（１４）、（１５）の作用を受けていることを特徴とする請求項１〜５のいずれか一項に記載の浮遊ステーション。
【請求項７】
前記濾過システム（４）は、前記ライナー内において水中に浸漬され、且つポンプアセンブリに接続されたフィルターアセンブリ（４ａ）から成り、前記フィルターアセンブリは、移動する能力を有して支持部（１６）上に取り付けられ、前記フィルターアセンブリ自体を水のレベルに自動的に調整していることを特徴とする請求項１に記載の浮遊ステーション。
【請求項８】
前記浮遊フレーム（１）の各側部は、押出成形された区画（５）によって形成されたタンクから成り、
前記押出成形された区画は、前記タンクの長手方向の縁部を構成するとともに、前記タンクの面を構成するカバー（６）に適合し、前記タンクの面間に浮遊部材が設置されていることを特徴とする請求項１に記載の浮遊ステーション。
【請求項９】
前記フレームの前記側部の少なくとも１つは、付属装置を固定するための機能を有していることを特徴とする請求項８に記載の浮遊ステーション。
【請求項１０】
異なる前記浮遊ステーションの様々な前記ライナーは、一の前記ライナーから他の前記ライナーへの移動を可能とする固定チャンバー（１７）によって接続されていることを特徴とする請求項１に記載の浮遊ステーション。
【発明の詳細な説明】
【技術分野】
【０００１】
本発明は、スイミングプールの技術分野に関する。
【背景技術】
【０００２】
より具体的には、本発明が解決を目指す問題は、個人が完全に安全な状態で動き回ることを可能にするために境界を定められた水中領域を作り出すことである。特に、本発明は、レジャー目的、教育目的又は練習目的、又は水泳のために、湖でのダイビング、海でのダイビング等の特に有利な用途を有する。
【０００３】
実際に、一年の内の特定の時期及び／又は気象状態に依存して、水はとても不透明である場合があり、特にダイビングの場合、身体的な運動をすることを予想することが困難である。よって、唯一の可能性は、スイミングプールを使用することである。この解決方法が、プールの低減された寸法、特に初心者のための運動しか可能にさせないプールの深さを十分に与えられないことによって満足のいくものでないことは、明白である。
【０００４】
従って、本発明の目的の結果として求められているものは、水が不透明であり、且つ夜でさえ低電圧（１２Ｖ）によって電力を供給された水中ライトを使用する場合でさえ、時期又は大気の状態にかかわらず、誰でも深い水深（湖、海等）でアクアエクササイズ、特にダイビングを実行することが可能にすることである。
【０００５】
このような問題を解決するために、所定の水の領域に対して安定化させ、且つ固定させる手段の作用を受ける浮遊フレームを備えているアクアエクササイズのための浮遊ステーションが設計開発され、前記フレームはポリ塩化ビニル（ＰＶＣ）又は別の材料から製作されたライナーに取り付けられ、少なくとも一人の運動を可能にする水中構造を構成し、前記ライナーは濾過システムの作用を有利に受けている。
【０００６】
本発明が解決を目指す別の問題は、問題となっている所定の水の領域上の任意の位置にロックチャンバーを一時的に設置することを可能にすることである。これを達成するために、安定化及び固定手段は、浮遊フレームが取り付けられたボート又は従来の固定法から成る。
【０００７】
ボートもロックチャンバーが一時的に設置され得る所望の位置にロックチャンバーを搬送することを可能にすることが明白である。
【０００８】
本発明は、添付された図面を参照しつつ、より詳細に以下に説明される。
【発明を実施するための最良の形態】
【０００９】
図示されているように、本発明は、特に湖、海等の深い水の中における任意の運動を実行するために特に有利な作用を有し、固定された領域を区切るという目的を有し、特に水がとりわけ不透明である場合、可視性の欠如に関連する問題を克服する。単に一例としてではあるが、１つの有利な用途は、特に練習目的のために実行される水面下でのダイビングである。
【００１０】
これを達成するために、問題となっている所定の水の領域（Ｐ）における任意の位置に一時的に設置することができる浮遊ステーションが設計されてきた。このステーションは、所定の水の領域（Ｐ）上に浮遊するような材料で作製され、及び／又は所定の水の領域（Ｐ）上に浮遊するように設計されたフレーム（１）を備える。フレーム（１）は、浮遊プラットフォームとして作用し、且つ例えば、四角形状（図１）又は任意の別の形状、特に八角形状（図４）のような、いかなる任意の幾何学的な形状を有する。
【００１１】
特に図６に示されるように、フレーム（１）の各側部は、浮遊性の防水タンクを構成する。例えば、各タンクは、問題となっているタンクの長手方向縁部を構成する押出形成された直線状の区画（５）から構成することができる。各区画は、例えば、敷板の形態でカバー（６）に適合するための機能を有する。このように製作されたタンクの内部は、例えば発泡材の形態の浮遊性の材料（７）を設けられている。
【００１２】
有利には、フレーム（１）の側部のうちの少なくとも１つは、はしご、パラソル、遮蔽材等のような様々な付属装置を固定するための機能を有する。
【００１３】
フレーム（１）はポリ塩化ビニル（ＰＶＣ）又は別の材料で作製されたライナー（２）に既知の適切な手段によって接続され、よって所定の水の領域（Ｐ）において沈ませられた構造を構成している。
【００１４】
ライナー（２）の寸法は、少なくとも一人の人及び、一般的に言えば複数の人々の運動を可能にするように選択される。
【００１５】
単に一例としてではあるが、ライナーは、約１〜７メートルの高さであり、ライナーが正方形である場合、約４〜８メートルの辺長を有することができる。
【００１６】
ＰＶＣで作製されたライナー（２）は、例えばその底部及び／又はその壁上に補強材（３）を有する。
【００１７】
図５及び図７に示されるように、ライナー（２）は、底部として作用するプラットフォーム（８）を有することができ、（図５に示されるように、）ライナーの深さを結果的に変化させるために高さの調整を可能にするように適合される。例えば、このプラットフォーム（８）は、（図５に示されるように）プーリーシステム又は別のシステムの作用を受ける。
【００１８】
ライナー（２）は、作製された形状にかかわらず伝熱流体の循環を可能にするために、２重壁を有することができることに留意されるべきである。
【００１９】
別の特徴によれば、ライナー（２）の底部は、ライナー（２）内に含有される水の表面において、水中に排水可能な浮遊手段（１２）に可撓性のパイプ（１１）を介して接続された排水システム（１０）の作用を受ける。明らかに、このような排水システム（１０）は、任意の吸引手段に接続される。
【００２０】
例えば、豪雨及び過度の充填の場合、オーバーフローを提供することができ、且つライナーを伸張状態にすること避けることができるために、ライナー（２）内に含有される水のレベルを調節することができることも重要であると思われる。例えば図１１に示される例は、１つの解決方法を示す。ライナー（２）の底部は、浮遊ユニット（１４）にホース（１３）を介して接続される。この浮遊ユニット（１４）は検査用トラップ（inspection trap）を有しており、この検査用トラップは、逆止弁（clack valve）システム（１５）を介して排水ホース（１３）に連通している。
【００２１】
水が不透明である場合でさえ複数の人がライナーの内側で動き回ることを可能にさせるという問題に鑑みて、ライナー（２）は濾過システム（４）の作用を受ける。濾過システム（４）は、当業者によく知られている適切な任意の種類であり、ライナー内に含有される水を濾過することができるように設計される。例えば、一のシステムは、砂濾過器（sand filter）又は、ケーブルを介して電力を供給される、又はバッテリーによって電力を供給される、又は太陽電池バッテリーによって電力を供給される別のフィルターを採用したシステムを使用している。
【００２２】
例えば、図９に示されるように、この濾過システム（４）は、ライナー（２）内で水中に沈められ、ポンプアセンブリに接続されたフィルターアセンブリ（４ａ）から成る。このポンプアセンブリは、ライナーの外側にあってもよく、又は低電圧の電力供給源を有する水中用ポンプの形態であってもよい。有利には、フィルターアセンブリ（４ａ）は移動する能力を有する支持部（１６）上に取り付けられ、自動的にフィルターアセンブリ自体を水面に適合する。
【００２３】
それらの構成に鑑みて、且つ図２で示されるように、結果として、ライナーが沈められている区画の水とは対照的に、ライナーの内側の水は不透明ではなく、多量の水を調整することもできる。
【００２４】
ステーション全体の安定性及び固定を確実にするために、固定はボートにしっかりと結合されることによって行うことができ、このボートは有利には問題となっている所定の水の領域上の所望な位置にステーションを設置するために使用することができる。これを達成するために、例えば、フレーム（１）の一部分は、ボートに係留する手段を有することができる。従来の固定方法を使用する可能性が排除されることはない。
【００２５】
本発明の技術的範囲を超えて拡張することなく、溶接又は別の手段によって、特に塩化ビニル製のライナーの壁及び／又は底部上に印刷パターンを選択的に適用する可能性に、留意するべきである。水面下でライナーの壁上にフィルム又は別のシーンを投影する可能性にも、留意するべきである。
【００２６】
明らかに、特にライナーは、任意の照明システムによって照明することができる。
【００２７】
図８に示されるように、本発明による様々な浮遊ステーションのライナー（２）は、ロックチャンバー（１７）を用いて互いに連通することができる。
【００２８】
本発明の利点は、上記の説明から明白である。
【図面の簡単な説明】
【００２９】
【図１】本発明によるロックチャンバーの斜視図である。
【図２】ロックチャンバーがどのように所定の水の領域内に導入されるのかを示す概略断面図である。
【図３】図２の同等なロックチャンバーの平面図である。
【図４】ステーションの一の好ましい実施形態の平面図である。
【図５】図４のライン５−５に沿った長手方向の断面図である。
【図６】ステーションのフレームの各側部の１つの側部の長手方向の拡大断面図である。
【図７】２重浮遊ステーションの形態で代替の実施形態を示す概略図である。
【図８】ロックチャンバーを使用することによって、様々な異なる浮遊ステーションのライナーの結合を示す概略図である。
【図９】水面に自身を調整するために移動する能力と共に導入された濾過システムの一の実施形態を示す部分図である。
【図１０】ライナーを空にするための一の実施形態を示す図である。
【図１１】ライナー内の水面を調整し、且つライナーを伸張状態にすることを避けるための実施形態を示す図である。
【符号の説明】
【００３０】
１  フレーム
２  ライナー
３  補強部材
４  濾過システム
５  直線状部分
６  カバー
７  浮遊性の材料
８  プラットフォーム
１０  排水システム
１１  排水パイプ
１２  浮遊手段
１３  排水ホース
１４  浮遊ユニット
１５  逆止弁システム
１６  支持部
１７  ロックチャンバー
【図１】
2008546934.tif 000003
【図２】
2008546934.tif 000004
【図３】
2008546934.tif 000005
【図４】
2008546934.tif 000006
【図５】
2008546934.tif 000007
【図６】
2008546934.tif 000008
【図７】
2008546934.tif 000009
【図８】
2008546934.tif 000010
【図９】
2008546934.tif 000011
【図１０】
2008546934.tif 000012
【図１１】
2008546934.tif 000013
【国際調査報告】
2008546934.tif 000014
2008546934.tif 000015
2008546934.tif 000016
2008546934.tif 000017
2008546934.tif 000018
2008546934.tif 000019
2008546934.tif 000020
2008546934.tif 000021
2008546934.tif 000022
2008546934.tif 000023